(57)【要約】  使用者の鍵（第１鍵）と管理者の鍵（第２鍵）とが別個に区分されて設けられた錠装置は、外筒体に第１錠及び第２錠が統合されて設けられ、第１錠は第１鍵で開くようになる。第１錠が開いた後に、第１鍵は錠装置から抜けず、第２鍵で第２錠を開けると、第１鍵と第２鍵が共に抜ける。【選択図】図２
2008507641.tif 000002
【特許請求の範囲】
【請求項１】
第１錠をアンロック状態またはロック状態に切替できる第１鍵、
第２錠をアンロック状態またはロック状態に切替できる第２鍵、
第１鍵挿入溝を具備し、上記第１鍵が上記第１鍵挿入溝に挿入されてロック状態からアンロック状態に切り替えられると、上記第１鍵が上記第１鍵挿入溝から排出されない第１錠、及び
第２鍵挿入溝を具備し、上記第２鍵が上記第２鍵挿入溝に挿入されてロック状態からアンロック状態に切り替えられる時に上記第１錠をアンロック状態からロック状態に切替させる第２錠、を含む錠装置。
【請求項２】
中央にホールが形成され、上記ホール内部に上記第１錠及び第２錠が内蔵される外筒体を更に含むことを特徴とする請求項１に記載の錠装置。
【請求項３】
上記第１鍵は円筒形であり、上記第１鍵の中央には上記第２鍵が貫通する中央鍵穴が具備され、上記第１鍵の一端部には基準突起が設けられていることを特徴とする請求項２に記載の錠装置。
【請求項４】
上記外筒体の一端に制限リングが具備されて第１鍵挿入溝を形成し、上記第１鍵が第１鍵挿入溝に挿入されてから回転して上記第１錠をアンロック状態に切り替えると、上記第１鍵の基準突起が上記制限リングにかかって上記第１鍵が排出されないことを特徴とする請求項３に記載の錠装置。
【請求項５】
上記第１錠と上記第２錠は、締結柱と締結溝との結合により相互連動することを特徴とする請求項１に記載の錠装置。
【請求項６】
上記第１錠は、
固定ピンにより上記外筒体と一体に固定される固定体、
一端部に上記第２錠の締結溝と結合される締結柱を具備し、上記第１鍵挿入溝に挿入された上記第１鍵の回転によって共に回転する回転体、及び
上記固定体と回転体との間に具備される複数のアラインメントピン、ロックキングピン及びスプリング、を含んでなり、
上記複数のアラインメントピンは、上記第１鍵の鍵溝により同一平面上に整列されることを特徴とする請求項１に記載の錠装置。
【請求項７】
上記第２錠は、
上記第１錠の締結柱と結合される締結溝が形成された内筒体、
上記内筒体の一側面に形成された複数の係止片溝に挿入される複数の係止片、及びスプリング、
上記内筒体の先端部と結合される回転板、を含むことを特徴とする請求項１に記載の錠装置。
【請求項８】
中央に円筒形ホールが形成され、一側に固定ピン穴が形成され、内部にそれぞれ対称となるように一対ずつ形成された支持部及び案内部を有する外筒体、 
円筒形を呈し、上記外筒体の円筒形ホールに挿入され、一端部に第２錠と結合される締結柱が形成されて中央に第２鍵挿入溝が形成された第１錠、
内筒体を具備し、上記外筒体内の支持部及び案内部の支持面の内に挿入され、一端が上記外筒体の外側端部まで貫通し、他端は上記第１錠と結合する第２錠、
上記第１錠を開けるための鍵溝を具備し、中央に第２鍵が貫通する中央鍵穴が形成された第１鍵、及び
上記第２錠を開けるための鍵溝を具備し、上記第１錠を通過して第２錠に至るまでの長さの第２鍵、を含むことを特徴とする錠装置。
【請求項９】
上記第１及び第２錠は、締結柱が締結溝に挿入される方式で結合され、上記第１及び第２錠は同一の回転軸を有することを特徴とする請求項８に記載の錠装置。
【請求項１０】
上記外筒体の内部は、
上記内筒体の外周面に接触して上記内筒体を支持する支持部、
上記外筒体の中心軸を基準に所定の角度で離隔され、上記係止片が挿入される第１及び第２ロッキング溝、及び
上記第１及び第２ロッキング溝間に具備されて上記係止片の回転を案内する案内部、を含むことを特徴とする請求項８に記載の錠装置。
【請求項１１】
上記案内部は、上記内筒体と接触する上記第２ロッキング溝から上記第１ロッキング溝の底に傾斜した案内面を含むことを特徴とする請求項１０に記載の錠装置。
【請求項１２】
上記所定の角度は、９０度であることを特徴とする請求項１０に記載の錠装置。
【発明の詳細な説明】
【技術分野】
【０００１】
本発明は、錠装置に関し、より詳しくは使用者用の鍵のための錠と、管理者用の鍵のための錠とが相互有機的に統合されて設けられた錠装置に関するものである。
【背景技術】
【０００２】
公知されているように、従来技術による錠または錠装置は、一つの鍵でのみ開けることができる構造を有し、該当鍵によって錠が開いたり閉まったりした後は鍵を錠から抜き取ることができるように設計されている。
【０００３】
これゆえ、公共の目的に用いられる錠装置、例えば地下鉄の駅や銭湯等で用いられるロッカーの錠装置の場合は、過去においては一般使用者がロッカーの利用後に鍵を持っていくのを防止するために、管理者がいちいち鍵を管理する必要があったが、現在においてはこのような問題点を解決するために、一般使用者がロッカーの利用後に鍵で該当ロッカーを開けた状態では鍵を抜き取ることができないように設計されている。
【０００４】
しかし、上記の場合は何れも、一般使用者がロッカーを閉めた状態で鍵を持っていったとしたら、続けてロッカーを使用することができなくなり、この場合は、錠を更新したり修理したりしなければ使用できないという問題点があった。更に、後者の場合は、使用者がロッカーを使用しない時には、鍵が常にロッカーの錠にささった状態でなければならないため、鍵の管理が難しかった。
【０００５】
尚、デパート、スーパーマーケット、ゲームセンター等で、景品の抽選または商品の当選として所定の鍵を提供し、この鍵に合うロッカーのドアを開けて商品を持っていかせるような場合にも錠装置が用いられる。しかし、この時、当選者が該当鍵で錠を開けてから鍵が抜き取れる場合には、鍵紛失の危険があり、鍵が抜き取れない場合には、次の使用のために管理者がいちいち鍵を管理しなければならないという問題点が依然として発生する。
【発明の開示】
【発明が解決しようとする課題】
【０００６】
本発明は、上記のような問題点を解決するために創出されたもので、本発明の主な目的は、使用者の鍵と管理者の鍵が別個に区分され、使用者の鍵で錠を開けてからは使用者の鍵が錠装置から抜けず、管理者の鍵があってこそ使用者の鍵を錠装置から抜き取ることが出来る構造の錠装置を提供することにある。
【０００７】
本発明のもう一つの目的は、外筒体内に開き方の異なる２つの錠が設けられた錠装置であって、第１錠は第１鍵を回転させて開き、第１鍵を回転させると第２錠の係止片等が外筒体内の第２ロッキング溝に位置され、第１鍵は制限リングにより第１錠から排出されず、第２鍵を挿入して開けると第２錠が第１錠を元の位置に回転させることによって、これら２つの鍵が同時に抜けるようになる錠装置を提供することにある。
【０００８】
本発明のもう一つの目的は、外筒体内に開き方の異なる２つの錠が設けられた錠装置であって、第１錠は円筒形の錠であり、第１錠の中央には鍵挿入溝が設けられ、円筒形の第１錠を開ける円筒形の第１鍵の中央にも中心鍵穴が設けられ、第２鍵は円筒形の第１鍵の中心鍵穴と、第１錠の鍵挿入溝とを通って第２錠に挿入され、第２鍵を回転させることにより第２錠を回転させて開けると、第１錠も元の位置に回転されることによって、これら２つの鍵が同時に抜けるようになる錠装置を提供することにある。
【０００９】
本発明のもう一つの目的は、外筒体内に開き方の異なる２つの錠が設けられた錠装置であって、第１及び第２錠はそれぞれ締結柱と溝とが結合されて一体に形成され、第１錠が回転する時に第２錠も共に回転し、第２錠の一端部に具備された回転板が回転することによって、これら２つの錠がそれぞれ作動できる錠装置を提供することにある。
【００１０】
本発明のもう一つの目的は、外筒体内に開き方の異なる２つの錠が設けられた錠装置であって、第１及び第２錠はそれぞれ締結柱と溝とが結合されて一体に形成され、第２錠は内筒体を含み、内筒体の溝に設けられる係止片等は第１錠が回転する時に第１ロッキング溝から第２ロッキング溝へ位置移動され、第１鍵は制限リングにより第１錠から排出されず、第２鍵を挿入して開けると第２錠が第１錠を元の位置に回転させることによってこれら２つの鍵が同時に抜けるようになる錠装置を提供することにある。
【００１１】
上記の目的を達成するために、本発明による錠装置は、第１錠をアンロック状態またはロック状態に切替できる第１鍵、第２錠をアンロック状態またはロック状態に切替できる第２鍵、第１鍵挿入溝を具備し、上記第１鍵が上記第１鍵挿入溝に挿入されてロック状態からアンロック状態に切替えられると、上記第１鍵が上記第１鍵挿入溝から排出されない第１錠、及び、第２鍵挿入溝を具備し、上記第２鍵が上記第２鍵挿入溝に挿入されてロック状態からアンロック状態に切替えられる時に上記第１錠をアンロック状態からロック状態に切替させる第２錠、を含むことを特徴とする。
【００１２】
望ましくは、上記第１錠と上記第２錠は、締結柱と締結溝との結合により相互連動し、上記第１鍵は円筒形であり、上記第１鍵の中央には上記第２鍵が貫通する中央鍵穴が設けられる。
【図面の簡単な説明】
【００１３】
【図１】本発明による錠装置の斜視図である。
【００１４】
【図２】本発明による錠装置の分解斜視図である。
【００１５】
【図３】本発明による錠装置の断面図である。
【００１６】
【図４】本発明による錠装置を図３のＡ−Ａ線に沿って切断した断面図である。
【００１７】
【図５】本発明による錠装置の、錠が閉まっている状態を示す平面図である。
【００１８】
【図６】本発明による錠装置の、第１錠が閉まった状態に第２錠も閉まっている状態を示す断面図である。
【００１９】
【図７】本発明による錠装置の、第１鍵が第１錠を９０°右回転した状態を示す平面図である。
【００２０】
【図８】図７における第１錠が９０°右回転されるにつれて第２錠も共に９０°右回転された状態を示す断面図である。
【００２１】
【図９】本発明による錠装置の、第２鍵が第２錠に挿入された状態を示す断面図である。
【００２２】
【図１０】本発明による錠装置の、第２鍵が９０°左回転されるにつれて第２錠も共に９０°左回転されて、元の位置に戻ってきた状態を示す断面図である。
【発明を実施するための最良の形態】
【００２３】
以下、添付図面を参照しながら本発明の望ましい実施例を説明する。図面において、同一または類似の構成要素についてはできる限り同じ参照符号を付した。
【００２４】
図１乃至図３を参照すると、錠装置１０の外筒体１１はロッカーのドア（door）のように固定された物体に設置され、外筒体１１の内部には互いに異なる形の第１錠５０と第２錠６０とが具備される。使用者が第１鍵１２で外部の第１錠５０を開くために、円筒形の第１鍵１２を９０°の位置に回すと、第２錠６０の係止片２３等は、外筒体１１内の案内面２９に沿って第１ロッキング溝２７から第２ロッキング溝２８へ移動するようになる。すると、第１鍵１２は、制限リング４３により第１錠５０にかかって抜き取れることができなくなる。その後、第２鍵１３を第１鍵１２の中央鍵穴１６、第１錠５０の鍵挿入溝１５、及び第２錠６０の中心を順に貫通して挿入する。第２鍵１３を回転させて第２錠６０を開ける時に、第２錠６０の係止片２３等は第２ロッキング溝２８で挿入解除されてアンロック状態に切り替えられる。すると、第１及び第２鍵１２及び１３が同時に抜けて錠装置１０は元の状態に復帰する。
【００２５】
再び図１乃至図４を参照すると、第１及び第２錠５０及び６０が内蔵される外筒体１１は、端面中央に円筒形ホール２０を具備する。上記円筒形ホール２０には一つの制限リング４３が、組立及び締結が完了する時に組立品の外側端に位置するように具備される。上記制限リング４３は、外筒体１１に結合されて鍵挿入溝１４を形成し、第１鍵１２が鍵挿入溝１４に挿入され回転されて第１錠５０を開けた後は、第１鍵１２の一端部に形成された基準突起５６が制限リング４３にかかって第１錠５０の抜け出しを防止する。
【００２６】
図３及び図４を参照すると、円筒形ホール２０の内周面には、支持部４７と案内部４８がそれぞれ対称となるように一対ずつ延長されている。隣接する支持部４７と案内部４８との間には、それぞれ第１ロッキング溝２７と第２ロッキング溝２８とが形成される。外筒体１１に形成された相互対称の支持部４７の内面には、第２錠６０の内筒体２１の外周面が接触する複数の支持面４９が形成される。相互対称となる複数の支持面４９は、第２錠６０が組み立てられた時に第２錠６０の外周面と接触する。上記複数の支持面４９は、第２錠６０を回転させる時にこれを支持することによって、第２錠６０の位置を維持させる。
【００２７】
第１ロッキング溝２７の側面に形成された案内部４８は、第１ロッキング溝２７の一端から第２ロッキング溝２８まで傾斜して延長される。案内部４８のもう一方の端部は、第２ロッキング溝２８と角をなして階段部を形成し、第２ロッキング溝２８の底とは所定距離離隔される。したがって、第２錠６０に複数の係止片２３が具備された状態で第２錠６０が第１ロッキング溝２７に係合した時に、内筒体２１に具備された複数の係止片２３は外側に押されて、第１ロッキング溝２７の内側空間に整列される。
【００２８】
内筒体２１を回転させる時に、複数の係止片２３が同時に動いて回転され、上記係止片２３は案内部４８の案内面２９に沿って移動される。内筒体２１が９０度回転されると、複数の係止片２３はスプリング２４の弾性力によって第２ロッキング溝２８の内部空間に入り込む。すると、係止片２３が両側の第２ロッキング溝２８内に締結されることにより内筒体２１の回転が制限される。相対的に外部に設けられた第１錠５０は、これ以上回転出来なくなる。
【００２９】
上記外筒体１１の内部には、第１及び第２錠５０及び６０が具備され、第２錠６０が第１錠５０より内側に設置される。上記第２錠６０は内筒体２１を含む。上記内筒体２１の一端には内筒体先端部５１が具備される。
【００３０】
内筒体先端部５１は、外筒体１１の中央円筒形ホール２０を貫通して挿入される。内筒体先端部５１は、回転板１９と結合されて固定される。上記内筒体２１の中央には鍵挿入穴が形成され、鍵挿入穴の垂直方向の両側にはスプリング溝５２と係止片溝２２が、それぞれ対称となるように一対ずつ形成される。複数のスプリング２４及び係止片２３は、それぞれ所定の位置に配置される時に、外筒体１１の中央を向くように組み立てられる。内筒体２１の外周面が、対応する支持部４７の支持面４９等と接触することで、内筒体２１の中心軸の位置は変化しない。内筒体２１に設けられた複数の係止片２３は、スプリング２４の弾性力によって第１ロッキング溝２７の底面に移動される。
【００３１】
内筒体２１において内筒体先端部５１の反対側には、第１錠５０の締結柱４１と結合される締結溝４２が形成される。第１錠５０の円周体３９の一端に形成された切欠部４０を有する締結柱４１を上記締結溝４２に挿入させると、締結柱４１は内筒体２１の締結溝４２に結合されて一体をなす。これにより、第１及び第２錠５０及び６０の回転軸の中心は同一線上に位置するようになって、第１錠５０及び第２錠６０は一体に回転するようになる。
【００３２】
外筒体１１の外側端に設けられた第１錠５０は、一般的な円筒形の錠である。上記第１錠５０は、回転体３１、固定体３２、複数のアラインメントピン３３とこれらに対応する複数のロックキングピン３４、及びスプリング３５等を含む。第１錠５０の回転体３１及び固定体３２上に設けられている複数のアラインメントピン溝３６及びロックキングピン溝３７は、同一線上に整列され、それぞれ円筒形の第１鍵１２の係止溝１８等と結合され得るように配置される。スプリング３５、ロックキングピン３４及びアラインメントピン３３を設置し、回転体３１の前方に制限リング４３を設置して、外筒体１１の円筒形ホール２０の方向に締結する。回転体３１の円周体３９末端に具備された締結柱４１は、内筒体２１の締結溝４２に締結される。固定体３２の外周面には固定ピン溝５３が形成されるが、上記固定ピン溝５３は外筒体１１の固定ピン穴５４と対応され、組立時に固定ピン５５が固定ピン穴５４を貫通して固定ピン溝５３に挿入固定されることによって、固定体３２は外筒体１１に固定される。これにより、第１鍵１２が第１錠５０を開ける時に、回転体３１のみ回転され、固定体３２は回転されない。
【００３３】
錠装置１０の前方に具備される第１錠５０には、図１乃至図６に示したように、外筒体１１の前端部に円筒形の第１鍵１２が挿入され得る鍵挿入溝１４が形成される。上記第１鍵１２は当該円筒部の前端部に鍵溝１８等が形成され、後端両側に所定の形態の取っ手１７が具備され、その中央には第２鍵１３が貫通し得る中央鍵穴１６が形成される。第２錠６０の内筒体２１に設けられた複数の係止片２３は、それぞれスプリング２４の弾性力によって第１ロッキング溝２７の位置に移動する。上記円筒形の第１鍵１２は、基準突起５６を外筒体１１の前端面の鍵挿入溝１４に整列させて挿入する。円筒形の第１鍵１２に形成された複数の鍵溝１８は、第１錠５０のアラインメントピン３３等を同一の平面上に整列させて、第１鍵１２の回転によって回転体３１が回転される。第１鍵１２が回転する時に、回転体３１の円周体３９末端の締結柱４１は、締結溝４２と噛み合って内筒体６０を回転させ、これにより回転板１９を９０度回転させて錠装置をアンロック状態にする。（図７及び図８参照）。
【００３４】
図２乃至図４に示したように、外筒体１１の内部に具備される第２錠６０の内筒体２１は、外筒体１１の内周面にある支持部４７等と案内部４８等との間に配置され、内筒体２１の外周面は、対応する支持部４７等の支持面４９等に接触及び支持されて固定の中心軸を有する。内筒体２１の複数の係止片溝２２にそれぞれ挿入されている係止片２３等は、スプリング２４の弾性力によって、支持部４７と案内部４８との間にある第１ロッキング溝２７内部へ押し込まれて挿入される。
【００３５】
図１に示したように、第１鍵１２を第１錠５０に挿入すると、第１錠５０は第１鍵１２の回転によって開くようになる。第１鍵１２が回転して第１錠５０を開ける時に（図２乃至図４、図６及び図８参照）、第１鍵１２は回転体３１を回転させ、これにより内筒体２１が回転される。内筒体２１に設けられた複数の係止片２３は、回転角に従って位置移動し、案内部４８の案内面２９に沿って内側に入っていくようになる。第１鍵１２が９０度回転した時に（図７及び図８参照）、第１錠５０の内部にある内筒体２１も９０度回転し、内筒体２１にある複数の係止片２３が案内面２９に沿って（図４参照）９０度の位置に案内される。各係止片２３は、スプリング２４の弾性力によって外側に移動し、最後には支持部４７と案内部４８との間の第２ロッキング溝２８に誘導されて挿入される（図８参照）。上記第２ロッキング溝２８の二側面は同じ深さを有し、複数の係止片２３の移動を制限する。そして、内筒体２１は、係止片２３等の締結によってこれ以上動くことができなくなる。外部の第１錠５０を開けた第１鍵１２は、制限リング４３によって鍵挿入溝にささったままこれ以上抜けることができなくなる（図７参照）。
【００３６】
管理者のために別途に作られる第２鍵１３は、係止片２３等を再整列して開放させ得るように、キープレートに形成された多数の鍵溝を有する。第２鍵１３は、第１鍵１２の中央鍵穴１６と第１錠５０を貫通して第２錠６０に挿入される。この時に、第２錠６０の中央を察すると、図９に示したように、第２鍵１３の鍵溝等が複数の係止片２３を開放位置（回転軸に向かって内側に移動した位置）に移動させて、係止片２３等の外縁に形成された円弧部等が内筒体２１の同一中心の外周面位置に入っていく。第２鍵１３を回転させることによって、第１及び第２錠５０及び６０が同時に回転して元の位置に復帰する（図１０参照）。第１鍵１２の基準突起５６は、錠装置１０の鍵挿入溝１４と対応して、二つの鍵１２、１３は同時に外へ抜けることができる。
【００３７】
一方、錠装置１０の外筒体１１は、ドアのように固定された板面に設置されてもよい。使用者には第１鍵１２を提供し、使用者は錠装置１０の鍵挿入溝１５に第１鍵１２を挿入して第１錠５０を回転させることにより、ドアを開けることができる。第１鍵１２は第２錠６０を同時に回転させて、第２錠６０の係止片２３等は第２ロッキング溝２８に挿入され、第２錠６０は相変らずロック状態で維持される。第１鍵１２は制限リング４３によって錠装置１０からの排出を制限され、これにより、錠装置１０に維持されるようになる。管理者は、第２鍵１３を第１鍵１２の中央鍵穴１６及び第１錠５０に貫通し第２錠６０に挿入させて回転させることで、複数の係止片２３をアンロック状態にする。この時に、全ての係止片２３等の外側端部は内筒体２１の外周線上に位置するようになって、内筒体２１の回転が自由になる。第２鍵１３が９０度回転すると、第１錠５０及び第２錠６０は元の位置に回転する。これにより、錠装置１０は初めの状態に復帰する。
【００３８】
以上、望ましい実施例を参照しながら本発明を詳しく説明したが、本発明は上記の実施例に限定されるものではなく、以下の特許請求の範囲で請求する本発明の要旨を逸脱しないかぎり、本発明の属する技術分野における通常の知識を持った者ならば誰もが多様に変形または修正ができる範囲まで、本発明の技術的思想が及ぶといえよう。
【図１】
2008507641.tif 000003
【図２】
2008507641.tif 000004
【図３】
2008507641.tif 000005
【図４】
2008507641.tif 000006
【図５】
2008507641.tif 000007
【図６】
2008507641.tif 000008
【図７】
2008507641.tif 000009
【図８】
2008507641.tif 000010
【図９】
2008507641.tif 000011
【図１０】
2008507641.tif 000012
【国際調査報告】
2008507641.tif 000013